(57)【要約】      （修正有）【課題】携帯に便利な緊急照明灯具を提供する。【解決手段】緊急照明灯具は、灯ソケット１と、発光モジュール２と、バッテリ３と、折り畳み収容式把手４と、を含み、灯ソケット１は、背面板１１を有し、背面板１１が溝１１１を設け、発光モジュール２は、灯ソケット１に設置され、電気接続する発光部材２１及び回路板２２を備える。バッテリ３は、灯ソケット１に固定され、該回路板２２と電気接続し、折り畳み収容式把手４は、背面板１１に軸回転可能に接続し、溝１１１中に収容され、これにより、緊急照明灯具を携帯に便利にし、使用の多様性及び利便性を具える。【選択図】図４
0003172884.tif 000002
【実用新案登録請求の範囲】
【請求項１】
背面板を有し、該背面板が溝を設ける灯ソケットと、
該灯ソケットに設置され、電気接続する発光部材及び回路板を有する発光モジュールと、
該灯ソケットに固定され、該回路板と電気接続するバッテリと、
該背面板に軸回転可能に接続し、該溝中に収容される折り畳み収容式把手と、を含む緊急照明灯具。
【請求項２】
前記折り畳み収容式把手が直線方向ロッド及び横方向ロッドを有し、Ｔ字状を形成し、該溝は、該折り畳み収容式把手に対応し、直線方向溝及び横方向溝を形成し、該直線方向ロッドは、該直線方向溝に収容され、該横方向ロッドは、横方向溝に収容される請求項１に記載の緊急照明灯具。
【請求項３】
前記背面板は、該直線方向溝に２つの側壁を形成し、各該側壁は、相対する軸孔を設け、該直線方向ロッドは、軸回転接合部を有し、該軸回転接合部は、該軸孔に対応して軸回転可能に接合する請求項２に記載の緊急照明灯具。
【請求項４】
前記直線方向ロッド末端にギア部を有し、該背面板は、該直線方向溝中に軸桿を凸伸し、該軸桿は、該ギア部に対応して噛み合う請求項２に記載の緊急照明灯具。
【請求項５】
前記横方向ロッド中間に通孔を設け、該背面板は、該横方向溝中に凸ブロックを延伸し、該凸ブロックは、該通孔に対応して嵌合する請求項２に記載の緊急照明灯具。
【請求項６】
前記背面板は、欠き口を設け、該欠き口は、該横方向溝に連通する請求項２に記載の緊急照明灯具。
【請求項７】
更に、電池背面蓋を含み、該電池背面蓋は、該背面板に取り付けられ、該バッテリを遮蔽し、該電池背面蓋及び該背面板が共同で該直線方向溝を設ける請求項２に記載の緊急照明灯具。
【請求項８】
前記折り畳み収容式把手は、フック部を設け、該フック部は、Ｕ時型溝を呈する請求項１に記載の緊急照明灯具。
【請求項９】
背面板を有し、該背面板が溝及び第１接続部を設ける灯ソケットと、
該灯ソケットに設置され、電気接続する発光部材及び回路板を有する発光モジュールと、
該灯ソケットに固定され、該回路板及び該第１接続部と電気接続するバッテリと、
該背面板に軸回転可能に接続し、該溝中に収容される折り畳み収容式把手と、
該灯ソケットを結合固定させ、赤外線検出器を設け、該赤外線検出器の第２接続部に電気接続する固定ソケットと、
を含み、該第２接続部が該第１接続部に対応し、電気接続し、該赤外線検出器が人体を検出時、該バッテリが電流を該回路板に伝達し、該発光部材を起動する緊急照明装置。
【請求項１０】
前記第１接続部は、挿入孔であり、該第２接続部は、該挿入孔に対応するプラグである請求項９に記載の緊急照明装置。
【請求項１１】
前記背面板は、第１磁性部材を設け、該固定ソケットは、第２磁性部材を設け、該第１磁石及び該第２磁石が相互に磁性吸引する請求項１０に記載の緊急照明装置。
【請求項１２】
前記固定ソケットは、該溝に対応して収容されるブロック体を有し、該ブロック体は、凸点を有し、該第２磁性部材に孔を設け、該凸点は、該孔に対応して嵌合し、該第２磁性部材を該ブロック体に固定させ、該第１磁性部材は、該ブロック体に対応して配置され、該背面板に埋設される請求項１１に記載の緊急照明装置。
【請求項１３】
前記背面板周縁に底面を有し、該底面に凹陥を設け、該固定ソケット下端に突出部を有し、該突出部は、ラッチを凸伸し、該突出部は、該底面に対応して接合し、該ラッチは、該凹陥に対応して嵌合する請求項１０に記載の緊急照明装置。
【請求項１４】
前記赤外線検出器は、該突出部の該灯ソケットから離れる一側に取り付けられる請求項１３に記載の緊急照明装置。
【考案の詳細な説明】
【技術分野】
【０００１】
本考案は、灯具構造に関し、特に、緊急照明灯具及びその装置に関する。
【背景技術】
【０００２】
一般のビル、学校機関、ショップ、オフィス及びマンション等の場所の階段の間、廊下には、何れも緊急照明灯が設置され、停電時に照明の効用を提供し、民衆に上記場所から逃げ、離れる過程で、緊急照明灯の光線誘導を有することにより、走行時の事故の発生を回避することができ、民衆の生命の安全及び臨時の利便性を保障することができる。
【０００３】
従来の緊急照明灯は、一般に壁上に結合させる外殻と、該外殻内に設けるバッテリと、回路板と、回路板に電気接続する発光部材（例えば、ＬＥＤ灯）と、電源ケーブルと、を含み、正常な電源供給状態で、外部電流が電源ケーブルを経由し、バッテリに対して充電を行うが、停電状態時、電源ケーブルが電流をバッテリに流入しない時、バッテリは、放電し且つ回路板を介し発光部材を駆動し、発光し、照明を提供する。
【０００４】
しかしながら、上記の緊急照明灯は、使用上不便であり、例えば、一般の停電時、多くは、懐中電灯を用いて照明し、なぜならば、緊急照明灯の大半が壁に固定されているので、往々にして単一領域的な照明のみを有し、随時便利に携帯することができず、緊急照明灯の機動性が不足している。また、非停電時、緊急照明灯の大半は、壁に掛けられているだけであり、如何なる機能も提供せず、緊急照明灯を有効利用させることができず、資源上の浪費となっている。
【０００５】
これに鑑みて、本考案者は、上記現有技術に対し、研究に専念し、学理の運用を合わせ、上記の問題点の解決に尽力し、本考案者の改良の目標となっている。
【先行技術文献】
【特許文献】
【０００６】
【特許文献１】登録実用新案第３０９２２４９号公報
【考案の概要】
【考案が解決しようとする課題】
【０００７】
本考案の目的は、折り畳み収容式把手を含む緊急照明灯具を利用し、携帯に便利にし、緊急照明灯具の使用の多様性及び利便性を向上する緊急照明灯具を提供することにある。
【０００８】
本考案の目的は、赤外線検出器を含む緊急照明装置を利用し、人体の検出時に発光部材を自動起動し、空間照明とすることができ、緊急照明装置の使用の多様性及び利便性を向上する緊急照明装置を提供することにある。
【課題を解決するための手段】
【０００９】
上記の目的を達成する為、本考案が提供する緊急照明灯具は、背面板を有し、該背面板が溝を設ける灯ソケットと、該灯ソケットに設置され、電気接続する発光部材及び回路板を有する発光モジュールと、該灯ソケットに固定され、該回路板と電気接続するバッテリと、該背面板に軸回転可能に接続し、該溝中に収容される折り畳み収容式把手と、を含む。
【００１０】
上記の目的を達成する為、本考案が提供する緊急照明装置は、背面板を有し、該背面板が溝及び第１接続部を設ける灯ソケットと、該灯ソケットに設置され、電気接続する発光部材及び回路板を有する発光モジュールと、該灯ソケットに固定され、該回路板と電気接続するバッテリと、該背面板に軸回転可能に接続し、該溝中に収容される折り畳み収容式把手と、該灯ソケットを結合固定させ、赤外線検出器を設け、該赤外線検出器の第２接続部に電気接続する固定ソケットと、を含み、該第２接続部が該第１接続部に対応し、電気接続し、該赤外線検出器が人体を検出時、該バッテリが電流を該回路板に伝達し、該発光部材を起動する。
【考案の効果】
【００１１】
本考案は、以下の効果を更に有し、緊急照明灯具は、折り畳み収容式把手を利用し、支持となすことができ、緊急照明灯具に平面上である角度で立たせ、且つこの立った角度が使用者に必要に応じて調整させることができる。また、横方向ロッドは、手部に掴持させ、使用者が携帯に便利であり、緊急照明灯具の多様性を増加し、例えば、キャンプライトとして使用することもできる。また、横方向ロッドの中間に通孔を設け、通孔が縄体を貫通させ、緊急照明灯具の固定に便利にする。折り畳み収容式把手は、フック部を設け、緊急照明灯具にフック部によりフック固定設置させることができ、本考案の緊急照明灯具の良好な使用利便性を達成する。また、赤外線検出器が本考案の付近を経過する移動者又は物を感知する時、バッテリが放電し、且つ回路板を介し発光部材を駆動し、発光させ、緊急照明装置を自動起動し、空間照明とすることができ、停電でない時、緊急照明装置は、依然として有効利用されることができ、資源上の浪費を回避する。また、本考案の設計において、挿入孔が対応するプラグに電気接続することを利用し、利用上空間を節約でき、且つ挿入孔及びプラグが灯ソケットにより遮蔽され、環境を美化する効果を達成することができ、現代の簡潔な大方の美観に適合する。
【図面の簡単な説明】
【００１２】
【図１】本考案の緊急照明灯具の立体説明図である。
【図２】本考案の緊急照明灯具の立体分解図である。
【図３】本考案の緊急照明灯具の組み合わせ説明図である。
【図４】本考案の緊急照明灯具の断面説明図である。
【図５】本考案の緊急照明灯具の使用状態説明図である。
【図６】本考案の緊急照明灯具のもう１つの使用状態説明図である。
【図７】本考案の緊急照明灯具の更にもう１つの使用状態説明図である。
【図８】本考案の緊急照明灯具のまた更にもう１つの使用状態説明図である。
【図９】本考案の緊急照明装置の立体分解図である。
【図１０】本考案の緊急照明装置の断面説明図である。
【考案を実施するための形態】
【００１３】
本考案の詳細な説明及び技術内容について、図面を併せて以下に説明するが、図面は、説明の用途とするだけであり、本考案を制限することに用いるのではない。
【００１４】
図１〜図４に示すように、本考案は、緊急照明灯具及びその装置を提供し、その緊急照明灯具は、主にランプソケット１と、発光モジュール２と、バッテリ３と、折り畳み収容式把手４と、を含む。
【００１５】
灯ソケット１は、背面板１１を有し、背面板１１は、溝１１１を設け、溝１１１は、直線方向溝１１２及び横方向溝１１３を形成し、背面板１１は、更に直線方向溝１１２に２つの側壁１１２１を形成し、各側壁１１２１は、相対する軸孔１１２２を設け、背面板１１は、直線方向溝１１２中に軸桿１１２３を凸伸し、背面板１１は、横向き方向溝１１３中に凸ブロック１１３１を延伸し、背面板１１は、欠け口１１４を設け、欠け口１１４は、横方向溝１１３に連通する。また、本考案は、更に電池背面蓋１２を含み、この電池背面蓋１２は、背面板１１に取り付けられ、且つ電池背面蓋１２及び背面板１１は、直線方向溝１１２を共同で設ける。
【００１６】
発光モジュール２は、灯ソケット１に取り付けられ、発光モジュール２は、電気接続する発光部材２１及び回路板２２を有し、この発光部材２１は、発光ダイオードであることができるが、これに制限するものではない。
【００１７】
バッテリ３は、灯ソケット１に固定され、且つバッテリ３は、回路板２２と電気接続し、このバッテリ３は、電池背面蓋１２により遮蔽され、バッテリ３は、回路板２２と電気接続し、このバッテリ３は、電池背面蓋１２の開放を経て交換を行うことができる。
【００１８】
折り畳み収容式把手４は、背面板１１に軸回転可能に接合し、溝１１１中に収容され、この折り畳み収容式把手４は、直線方向ロッド４１及び横方向ロッド４２を有し、Ｔ字状を形成し、溝１１１は、折り畳み式把手４を対応し、直線方向溝１１２及び横方向溝１１３を形成し、直線方向ロッド４１は、直線方向溝１１２を収容し、横方向４２は、横方向溝１１３を収容する。そのうち、直線方向ロッド４１は、軸回転接合部４１１を有し、軸回転接合部４１１は、軸孔１１２２に対応して軸回転可能に接合し、直線方向ロッド４１末端にギア部４１２を有し、軸桿１１２３は、ギア部４１２に対応して噛み合う。また、横方向ロッド４２中間に通孔４２１を設け、凸ブロック１１３１は、通孔４２１に対応して嵌合する。また、折り畳み収容式把手４は、フック部４３を設け、フック部４３は、Ｕ字型溝を呈し、このフック部４３は、直線方向ロッド４１の横方向ロッド４２の一側に位置するが、これに限定するものではない。
【００１９】
本考案の緊急照明灯具の組み合わせは、発光モジュール２を利用し、灯ソケット１に取り付けられ、発光モジュール２は、電気接続する発光部材２１及び回路板２２を有する。バッテリ３は、灯ソケット１に固定され、バッテリ３は、回路板２２と電気接続する。折り畳み収容式把手４は、背面板１１に軸回転接合し、溝１１１中に収容し、詳細な説明は、以下のとおりであり、直線方向ロッド４１は、直線方向溝１１２に収容され、横方向ロッド４２は、横方向溝１１３に収容され、直線方向ロッド４１の軸回転接合部４１１は、軸孔１１２２に対応して軸回転可能に接合し、直線方向ロッド４１末端は、ギア部４１２を有し、軸桿１１２３は、ギア部に対応して噛み合い、また、横方向ロッド４２の中間に通孔４２１を設け、折り畳み収容式把手４を設け、フック部４３を設ける。
【００２０】
これにより、緊急照明灯具が外部電流（例えば、都市電源のコンセント）に接続する時、正常な電源供給状態において、外部電流は、バッテリ３に充電を行う。停電状態時、電流がバッテリ３に流入せず、バッテリ３は、即座に放電し且つ回路板２２を介し発光部材２１を駆動し、発光させ、停電時、緊急照明灯具は、照明の効用を提供し、民衆の完全及び臨時の利便性を保障することができるようにする。
【００２１】
また、緊急照明灯具は、折り畳み収容式把手４を含み、携帯に便利にし、緊急照明灯具の使用の多様性及び利便性を向上し、この詳細な効果は、図５〜図８及びその説明を参考にする。
【００２２】
図５〜図６を参照し、そのうち、直線方向ロッド４１の軸回転接合部４１１が軸孔１１２２に対応して軸回転可能に接合し、直線方向ロッド４１末端にギア部４１２を有し、軸桿１１２３は、ギア部４１２に対応して噛み合い、折り畳み収容式把手４は、ギア部４１２及び軸桿１１２３の間の噛み合わせを経てギア部４１２を中心として角度の範囲が１８０℃の旋転を行うことができる。これにより、図５に示すように、緊急照明灯具は、折り畳み収容式把手４を支えとして、緊急照明灯具を平面上で一定角度で立たせ、且つこの立つ角度は、使用者に必要に応じて調整させることができる。
【００２３】
図７を参照し、そのうち、折り畳み収容式把手４がギア部４１２を中心点とし１８０°旋転する時、図６に示すように、この時、横方向ロッド４２は、手部に掴持させることができ、使用者の携帯に便利にし、緊急照明灯具の多様性を増加し、例えば、キャンプライトとして使用させることができる。
【００２４】
図８を参照し、そのうち、横方向ロッド４２中間に通孔４２１を設け、通孔４２１は、縄体を貫通させ、緊急照明灯具を固定することに便利にすることができる。折り畳み収容式把手４は、Ｕ字型溝を呈するフック部４３を設け、緊急照明灯具をフック部４３にフック固定させ、本考案の緊急照明灯具が良好な使用利便性を有することを達成する。
【００２５】
図９〜図１０に示すように、本考案は、緊急照明灯具及びその装置を提供し、その緊急照明装置は、ソケット体１と、発光モジュール２と、バッテリ３と、折り畳み収容式把手４と、固定ソケット５と、を含む。
【００２６】
ソケット体１は、背面板１１を有し、背面板１１は、溝１１１及び第１接続部１３を設け、背面板１１は、第１磁性部材１５を設け、背面板１１周縁に底面１４を有し、底面１４は、凹陥部１４１を設ける。
【００２７】
発光モジュール２は、灯ソケット１に取りけられ、発光モジュール２は、電気接続する発光部材２１及び回路板２２を有し、この発光部材２１は、発光ダイオードであることができるが、これに制限するものではない。
【００２８】
バッテリ３は、灯ソケット１に固定され、且つバッテリ３は、回路板２２及び第１接続部１３と電気接続する。折り畳み収容式把手４は、背面板１１に軸回転可能に接合されえ、溝１１１中に収容される。
【００２９】
固定ソケット５は、灯ソケット１を結合固定させ、固定ソケット５は、赤外線検出器５１を設け、赤外線検出器５１の第２接続部５２に電気接続し、第２接続部５２は、第１接続部１３に対応して電気接続し、赤外線検出器５１が人体を感知する時、バッテリ３電流を回路板２２に伝送し、発光部材２１を起動する。詳細な説明は、以下のとおりであり、第１接続部１３は、挿入孔１３１であり、第２接続部５２は、挿入孔１３１に対応するプラグ５２１である。そのうち、固定ソケット５は、第２磁性部材５５を設け、第１磁石１５及び第２磁石５５が相互に磁性吸引し、固定ソケット５は、溝１１１に対応して収容されるブロック体５４を有し、ブロック体５４は、凸点５４１を有し、第２磁性部材５５は、孔５５１を設け、凸点５４１は、孔５５１に対応して嵌合し、第２磁性部材５５をブロック体５４に固定し、また、第１磁性部材１５は、ブロック体５４に対応して配置され、背面板１１に埋設される。また、固定ソケット５下端は、底面１４に対応して接合される突出部５３を有し、突出部５３は、ラッチ５３１を凸伸し、ラッチ５３１は、凹陥部１４１に対応して嵌合する。更に、赤外線検出器５１は、突出部５３の灯ソケット１から離れる一側に取り付けられる。
【００３０】
本考案の緊急照明装置の組み合わせは、固定ソケット５を利用し、灯ソケット１を結合固定させ、固定ソケット５は、赤外線検出器５１を取り付け、赤外線検出器５１の第２接続部５２に電気接続し、第２接続部５２は、第１接続部１３に対応して電気接続し、赤外線検出器５１が人体を感知する時、バッテリ３は、回路板２２に電流を伝達し、発光部材２１を起動する。詳細な説明は、以下のとおりであり、第１接続部１３は、挿入孔１３１であり、第２接続部は、挿入孔１３１に対応するプラグ５２１であり、バッテリ３は、回路板２２及び挿入孔１３１と電気接続する。また、灯ソケット１及び固定ソケット５の結合方式は、第１磁石１５及び第２磁石５５の相互の磁性吸引を利用し、底面１４は、突出部５３に対応して接合し、突出部５３は、ラッチ５３１を凸伸し、ラッチ５３１は、底面１４の凹陥部１４１に対応して嵌合する。
【００３１】
これにより、固定ソケット５のプラグ５２１が外部電流（例えば、都市電源コンセント）に接続する時、正常な電源供給状態において、プラグ５２１は、挿入孔１３１を経由し、バッテリ３に充電を行う。停電状態時、プラグ５２１は、電流をバッテリ３に流入せず、バッテリ３は、即座に放電し且つ回路板２２を介し発光部材２１を駆動し、発光させ、停電時、緊急照明灯具は、照明の効用を提供し、民衆の完全及び臨時の利便性を保障することができるようにする。
【００３２】
また、赤外線検出器５１が本考案付近を経過する移動者又は物を感知する時、バッテリ３は、放電し、且つ回路板２２を介して発光部材２１を駆動し、発光させ、詳細な説明は以下の通りであり、バッテリ３が充填を行う時、外部電流は、バッテリ３に充電すると同時に、照明を提供することができるよう外部電流の電力供給を持続する。バッテリ３の充電が完成時、プラグ５２１は、外部電流をバッテリ３に提供せず、バッテリ３が電流の流入を有さない状況において、バッテリ３自身を放電させ、照明を提供させる。これにより、赤外線検出器５１が人又は物を感知する時、本考案が緊急照明装置を自動起動し、空間照明とし、停電でない時に緊急照明装置を依然として有効利用させ、資源上の浪費を回避する。
【００３３】
また、第１接続部１３は、挿入孔１３１であり、第２接続部５２は、挿入孔１３１に対応するプラグ５２１であり、公知の緊急照明灯の多くが相当な長さの電源ケーブルを有し電気接続し、且つ電源ケーブルの大半が壁に露出していることに比較し、本考案は、設計上、挿入孔１３１を利用し、プラグ５２１に対応して電気接続し、利用上の空間を節約し、且つ挿入孔１３１及びプラグ５２１が灯ソケット１に遮蔽され、更に環境を美化する効果を達成し、現代の簡潔な大方の美観に適合することができる。
【００３４】
上記のように、本考案の緊急照明灯具及びその装置は、予期する使用目的を達成し、従来の欠陥を解決することができ、産業利用性、新規性及び進歩性を有する。
【符号の説明】
【００３５】
１  灯ソケット
１１  背面板
１１１  溝
１１２  直線方向溝
１１２１  側壁
１１２２  軸孔
１１２３  軸桿
１１３  横方向溝
１１３１  凸ブロック
１１４  欠け口
１２  電池背面蓋
１３  第１接続部
１３１  挿入孔
１４  底面
１４１  凹陥部
１５  第１磁性部材
２  発光モジュール
２１  発光部材
２２  回路板
３  バッテリ
４  折り畳み収容式把手
４１  直線方向ロッド
４１１  軸回転接合部
４１２  ギア部
４２  横方向ロッド
４２１  通孔
４３  フック部
５  固定ソケット
５１  赤外線検出部
５２  第２接続部
５２１  プラグ
５３  突出部
５３１  ラッチ
５４  ブロック体
５４１  凸点
５５  第２磁性部材
５５１  孔
【図１】
0003172884.tif 000003
【図２】
0003172884.tif 000004
【図３】
0003172884.tif 000005
【図４】
0003172884.tif 000006
【図５】
0003172884.tif 000007
【図６】
0003172884.tif 000008
【図７】
0003172884.tif 000009
【図８】
0003172884.tif 000010
【図９】
0003172884.tif 000011
【図１０】
0003172884.tif 000012